(57)【要約】      （修正有）【課題】集中治療室内の空気調和を行うことができる動物用集中治療装置を提供する。【解決手段】動物用集中治療装置１０は、Ａ集中治療室２０、Ｂ集中治療室４０及びＣ集中治療室６０に対して、Ａ空調ユニット、Ｂ空調ユニット及びＣ空調ユニットをそれぞれ設けているので、集中治療室毎に室温を設定することができ、収容している動物の種類や状態に応じて空気調和を行える。さらに、空調ユニット毎にメンテナンスを行うことができるので、その空調ユニットに対応する集中治療室以外の集中治療室を継続的に使用できる。また、Ａ集中治療室２０、Ｂ集中治療室４０及びＣ集中治療室６０の背面板の外側面にＡ床面暖房用ヒータ、Ｂ床面暖房用ヒータ及びＣ床面暖房用ヒータを設けるので、ヒータからの熱が集中治療室の床面板に伝わるので、動物の集中治療室に接している部位の体熱を適度に保つことが可能になる。【選択図】図２
2014057774.tif 000002
【特許請求の範囲】
【請求項１】
一体的に設けられると共に、前面側に開閉扉を設けた略箱状の複数個の集中治療室と、
前記集中治療室と同数設けられると共に、いずれかの前記集中治療室に対して選択的に所定温度範囲の空気を送出する複数個の空気調和ユニットと、
前記集中治療室と一体的に設けられると共に、前記空気調和ユニットを選択的に挿抜可能な状態で収納する空調機器収納ボックスとを有することを特徴とする動物用集中治療装置。
【請求項２】
さらに、前記集中治療室の背面板の外側面に接する、又は、近接するように配置されると共に、略板状、又は、略フィルム状に形成されたヒータを有することを特徴とする請求項１に記載の動物用集中治療装置。
【請求項３】
さらに、前記集中治療室の少なくとも背面板を外側から覆う外部筐体を備え、
該外部筐体は、前記ヒータを取り出し可能な開口部が設けられていることを特徴とする請求項２に記載の動物用集中治療装置。
【請求項４】
前記空調機器収納ボックスは、上下方向に配置されている複数の枠を設けた載置用フレームを備えると共に、前面側、側面側又は背面側の少なくともいずれか一側が開放可能になされ、
前記空気調和ユニットは、前記載置用フレームのいずれかの前記枠上を摺動可能なレールを備えると共に、前記空調機器収納ボックスの開放可能な側に向かって摺動可能に設けられていることを特徴とする請求項１ないし請求項３のいずれか一項に記載の動物用集中治療装置。
【請求項５】
前記集中治療室は、側面板又は天井板に、前記空気調和ユニットから空気を送入するための送気ダクトと、前記空気調和ユニットへ空気を送出するための吸気ダクトとを備え、
前記空気調和ユニットは、液化した冷媒を気化させて前記集中治療室内から送気された空気から熱を奪う室内熱交換器と、気化した冷媒を凝縮させて前記集中治療室外の空気に放熱する室外熱交換器と、前記集中治療室へ空気を送出する空気循環用ファンと、該空気循環用ファン及び前記室内熱交換器を収納する筐体を備え、該筐体は、前記送気ダクトの前記開口部と対面する送気口と前記吸気ダクトの前記開口部と対面する吸気口とが形成された当接板が設けられていることを特徴とする請求項１ないし請求項４のいずれか一項に記載の動物用集中治療装置。
【請求項６】
前記集中治療室は、側面板又は天井板に、前記空気調和ユニットから空気を送入するための送気ダクトと、前記空気調和ユニットへ空気を送出するための吸気ダクトとを備え、
前記空気調和ユニットは、液化した冷媒を気化させて前記集中治療室内から送気された空気から熱を奪う室内熱交換器と、気化した冷媒を凝縮させて前記集中治療室外の空気に放熱する室外熱交換器と、前記集中治療室へ空気を送出する空気循環用ファンと、該空気循環用ファン及び前記室内熱交換器を収納する筐体を備え、該筐体は、前記集中治療室の前記吸気口と対向する送気口と前記集中治療室の前記送気口と対向する吸気口とが形成された対向板が設けられ、前記空気調和ユニットの前記送気口及び前記空気調和ユニットの前記吸気口の周縁部から突出する筒状部材が設けられ、前記空気調和ユニットを前記空調機器収納ボックスに挿入したときに、前記筒状部材の先端側の部分が対向する前記送気ダクト及び前記吸気ダクトの内部にそれぞれ挿入される、又は、前記送気ダクト及び前記吸気ダクトの先端側の部分が対向する前記筒状部材の内部にそれぞれ挿入されるようになされていることを特徴とする請求項１ないし請求項４のいずれか一項に記載の動物用集中治療装置。
【請求項７】
前記集中治療室は、側面板又は天井板に、前記空気調和ユニットから空気を送入するための吸気口と、前記空気調和ユニットへ空気を送出するための送気口とを備え、前記空気調和ユニットは、液化した冷媒を気化させて前記集中治療室内から送気された空気から熱を奪う室内熱交換器と、気化した冷媒を凝縮させて前記集中治療室外の空気に放熱する室外熱交換器と、前記集中治療室へ空気を送出する空気循環用ファンと、該空気循環用ファン及び前記室内熱交換器を収納する筐体を備え、該筐体は、前記集中治療室の前記吸気口及び前記送気口を設けた側面板又は天井板に当接すると共に、前記集中治療室の前記吸気口と対面する送気口と前記集中治療室の前記送気口と対面する吸気口とが形成された当接板が設けられていることを特徴とする請求項１ないし請求項４のいずれか一項に記載の動物用集中治療装置。
【請求項８】
前記空気調和ユニットは、酸素濃縮器又は酸素ボンベに接続された流体回路の一部を備え、該流体回路の一部に集中治療室への酸素の送出量を調整する弁が設けられていることを特徴とする請求項１ないし請求項７のいずれか一項に記載の動物用集中治療装置。
【請求項９】
前記空気調和ユニットは、前記筐体の内部に前記弁が設けられ、前記流体回路の一部は前記筐体の内部に酸素を放出するようになされていることを特徴とする請求項８に記載の動物用集中治療装置。
【請求項１０】
前記開閉扉は、透明性の略矩形板材に形成されると共に表裏の周縁部に緩衝材を貼り付けた扉本体部と、長手方向に溝が形成された４つの型材から形成されると共に前記扉本体部の周縁部を前記溝によって挟持する枠材を備えていることを特徴とする請求項１ないし請求項９のいずれか一項に記載の動物用集中治療装置。
【発明の詳細な説明】
【技術分野】
【０００１】
本発明は、動物用集中治療装置に関し、特に、集中治療室内の空気調和を行うことができる動物用集中治療装置に関する。
【背景技術】
【０００２】
動物病院で使用する動物用集中治療装置は、症状が重い、又は、手術直後のイヌやネコ、サル、フェレットなどの患者動物を収容し、点滴などを行う集中治療室として使用されるものである。一般的に、ステンレス鋼などを用いて堅牢に形成されており、手前側に開口部を設けているものが多い。また、このような動物用集中治療装置では、複数の患者動物を収容できるように、３室かそれ以上の集中治療室を上下２段に並べて設けたものが多い。
【０００３】
図１６は、従来技術に係る動物用集中治療装置の一例を示す斜視図である。図１６において、１００は動物用集中治療装置、１０１はＡ集中治療室、１０２はＢ集中治療室、１０３はＣ集中治療室、１０４は空調機器収納ボックス、１０５、１０６及び１０７は開閉扉である。図１６は、特開２００１−１９０５７７公報において開示されている動物用集中治療装置である。動物用集中治療装置１００は、空調機器収納ボックス１０４内に設けたエアコンディショナーコントロールユニットや、空気調和機器、酸素供給機器によって、犬や猫などの動物の集中治療室であるＡ集中治療室１０１、Ｂ集中治療室１０２及びＣ集中治療室１０３の空気調和を同時に行うようにしたものである。また、Ａ集中治療室１０１、Ｂ集中治療室１０２及びＣ集中治療室１０３は、互いに分離可能であると共に、気密性が高い開閉扉１０５、開閉扉１０６及び開閉扉１０７を設けている。さらに、空調機器収納ボックス１０４内で所定温度や所定酸素濃度に調整された空気は、Ａ集中治療室１０１、Ｂ集中治療室１０２及びＣ集中治療室１０３の送気口を介して送り込まれる構成となっており、くわえて送気口には着脱自在なフィルターを設けている。以上の構成によれば、共通するエアコンディショナーコントロールユニットなどによってＡ集中治療室１０１、Ｂ集中治療室１０２及びＣ集中治療室１０３内の温度や酸素濃度を任意に設定でき、さらに、このコントロールユニットに室温等の情報が表示されるので的確に管理できる。
【０００４】
しかしながら、動物用集中治療装置には、多様な種類の動物を収容する上に健康状態も個々に異なるので、各集中治療室の室温や酸素濃度を個別に設定できることが望ましい。しかし、この動物用集中治療装置１００では、１つの空気調和機器及び酸素供給機器によって各集中治療室の空気調和を行うので、各集中治療室の温度等を個別に設定できない。さらに、動物用集中治療装置の集中治療室は、衛生管理のためにステンレス鋼などの金属で形成する。よって、空調機器収納ボックス１０４から所定温度範囲の暖気を送り込んでも、動物の集中治療室に接している部位から体熱を奪われるので、体力を回復させる上で好ましくない。集中治療室の床面にタオルを敷いても、尿によってタオルが濡れると、尿が気化するときに濡れている部分に接している腹部などの体熱を奪ってしまう。集中治療室の床面にマット状のヒータを敷けば体温を維持することが可能となるが、ある程度健康状態が回復したときに配線ケーブルに噛み付いて感電するなど思わぬ事態が起きることが考えられる。また、麻酔が効いた状態にある患者動物の場合には、体を動かすことができないので、ヒータに接している部位に低温やけどを負うことも考えられる。
【０００５】
また、空気調和機器のメンテナンスを行う際には、全ての集中治療室の空気調和を行えなくなるので、収容している全ての動物を代替用の動物用集中治療装置に移動させなければならず、メンテナンスの準備をするだけでも多くの作業が発生する。また、動物用集中治療装置は、獣医科用機器の中でも特に厳格な衛生管理が求められるので、集中治療室の清掃や、衛生管理や気密性維持の観点から相対的に劣化しやすい開閉扉の部品交換などを頻繁に行う必要があり、メンテナンス作業の負担が多い装置である。以上のように、従来技術に係る動物用集中治療装置は、体温保持対策が十分でなく、メンテナンス作業の負担が大きいという課題がある。
【先行技術文献】
【特許文献】
【０００６】
【特許文献１】特開２００１−１９０５７７公報
【発明の概要】
【発明が解決しようとする課題】
【０００７】
本発明は、上記課題を解決するために、集中治療室に収容している動物の種類や状態に応じて空気調和を行え、かつ、収容している動物の体温保持も行える動物用集中治療装置を提供することを第１の目的とする。さらに、メンテナンス作業の負担を軽減することが可能な動物用集中治療装置を提供することを第２の目的とする。
【課題を解決するための手段】
【０００８】
請求項１に記載の発明は、一体的に設けられると共に、前面側に開閉扉を設けた略箱状の複数個の集中治療室と、前記集中治療室と同数設けられると共に、いずれかの前記集中治療室に対して選択的に所定温度範囲の空気を送出する複数個の空気調和ユニットと、前記集中治療室と一体的に設けられると共に、前記空気調和ユニットを選択的に挿抜可能な状態で収納する空調機器収納ボックスとを有することを特徴とする動物用集中治療装置である。
【０００９】
請求項２に記載の発明は、請求項１に記載の発明において、さらに、前記集中治療室の背面板の外側面に接する、又は、近接するように配置されると共に、略板状、又は、略フィルム状に形成されたヒータを有することを特徴とする動物用集中治療装置である。
【００１０】
請求項３に記載の発明は、請求項２に記載の発明において、さらに、前記集中治療室の少なくとも背面板を外側から覆う外部筐体を備え、該外部筐体は、前記ヒータを取り出し可能な開口部が設けられていることを特徴とするである。
【００１１】
請求項４に記載の発明は、請求項１ないし請求項３のいずれか一項に記載の発明において、前記空調機器収納ボックスは、上下方向に配置されている複数の枠を設けた載置用フレームを備えると共に、前面側、側面側又は背面側の少なくともいずれか一側が開放可能になされ、前記空気調和ユニットは、前記載置用フレームのいずれかの前記枠上を摺動可能なレールを備えると共に、前記空調機器収納ボックスの開放可能な側に向かって摺動可能に設けられていることを特徴とする動物用集中治療装置である。
【００１２】
請求項５に記載の発明は、請求項１ないし請求項４のいずれか一項に記載の発明において、前記集中治療室は、側面板又は天井板に、前記空気調和ユニットから空気を送入するための送気ダクトと、前記空気調和ユニットへ空気を送出するための吸気ダクトとを備え、  前記空気調和ユニットは、液化した冷媒を気化させて前記集中治療室内から送気された空気から熱を奪う室内熱交換器と、気化した冷媒を凝縮させて前記集中治療室外の空気に放熱する室外熱交換器と、前記集中治療室へ空気を送出する空気循環用ファンと、該空気循環用ファン及び前記室内熱交換器を収納する筐体を備え、該筐体は、前記送気ダクトの前記開口部と対面する送気口と前記吸気ダクトの前記開口部と対面する吸気口とが形成された当接板が設けられていることを特徴とするである。
【００１３】
請求項６に記載の発明は、請求項１ないし請求項４のいずれか一項に記載の発明において、前記集中治療室は、側面板又は天井板に、前記空気調和ユニットから空気を送入するための送気ダクトと、前記空気調和ユニットへ空気を送出するための吸気ダクトとを備え、  前記空気調和ユニットは、液化した冷媒を気化させて前記集中治療室内から送気された空気から熱を奪う室内熱交換器と、気化した冷媒を凝縮させて前記集中治療室外の空気に放熱する室外熱交換器と、前記集中治療室へ空気を送出する空気循環用ファンと、該空気循環用ファン及び前記室内熱交換器を収納する筐体を備え、該筐体は、前記集中治療室の前記吸気口と対向する送気口と前記集中治療室の前記送気口と対向する吸気口とが形成された対向板が設けられ、前記空気調和ユニットの前記送気口及び前記空気調和ユニットの前記吸気口の周縁部から突出する筒状部材が設けられ、前記空気調和ユニットを前記空調機器収納ボックスに挿入したときに、前記筒状部材の先端側の部分が対向する前記送気ダクト及び前記吸気ダクトの内部にそれぞれ挿入される、又は、前記送気ダクト及び前記吸気ダクトの先端側の部分が対向する前記筒状部材の内部にそれぞれ挿入されるようになされていることを特徴とするである。
【００１４】
請求項７に記載の発明は、請求項１ないし請求項４のいずれか一項に記載の発明において、前記集中治療室は、側面板又は天井板に、前記空気調和ユニットから空気を送入するための吸気口と、前記空気調和ユニットへ空気を送出するための送気口とを備え、前記空気調和ユニットは、液化した冷媒を気化させて前記集中治療室内から送気された空気から熱を奪う室内熱交換器と、気化した冷媒を凝縮させて前記集中治療室外の空気に放熱する室外熱交換器と、前記集中治療室へ空気を送出する空気循環用ファンと、該空気循環用ファン及び前記室内熱交換器を収納する筐体を備え、該筐体は、前記集中治療室の前記吸気口及び前記送気口を設けた側面板又は天井板に当接すると共に、前記集中治療室の前記吸気口と対面する送気口と前記集中治療室の前記送気口と対面する吸気口とが形成された当接板が設けられていることを特徴とするである。
【００１５】
請求項８に記載の発明は、請求項１ないし請求項７のいずれか一項に記載の発明において、前記空気調和ユニットは、酸素濃縮器又は酸素ボンベに接続された流体回路の一部を備え、該流体回路の一部に集中治療室への酸素の送出量を調整する弁が設けられていることを特徴とする動物用集中治療装置である。
【００１６】
請求項９に記載の発明は、請求項８に記載の発明において、前記空気調和ユニットは、前記筐体の内部に前記弁が設けられ、前記流体回路の一部は前記筐体の内部に酸素を放出するようになされていることを特徴とする動物用集中治療装置である。
【００１７】
請求項１０に記載の発明は、請求項１ないし請求項９のいずれか一項に記載の発明において、前記開閉扉は、透明性の略矩形板材に形成されると共に表裏の周縁部に緩衝材を貼り付けた扉本体部と、長手方向に溝が形成された４つの型材から形成されると共に前記扉本体部の周縁部を前記溝によって挟持する枠材を備えていることを特徴とする動物用集中治療装置である。
【発明の効果】
【００１８】
請求項１に記載の発明によれば、集中治療室毎に空気調和ユニットを備えているので、集中治療室毎に室温を設定することができ、収容している動物の種類や状態に応じて空気調和を行える。さらに、空気調和ユニット毎にメンテナンスを行うことができるので、その空気調和ユニットに対応する集中治療室以外の集中治療室を継続的に使用できる。したがって、動物の移動等などメンテナンスに伴う作業負担を軽減できる。
【００１９】
請求項２に記載の発明によれば、集中治療室の背面板の外側面にヒータを設けるので、ヒータからの熱が集中治療室の床面板に伝わるので、動物の集中治療室に接している部位の体熱を適度に保つことが可能になる。また、背面板の外側面にヒータを設けることによって、床面板が過剰に暖められて、動物が低温やけどを負うことを防止できる。
【００２０】
請求項３に記載の発明によれば、外部筐体の開口部からヒータを取り出せるので、ヒータの故障時に簡単にヒータを交換できる。また、市販のマット型ヒータやパネルヒータなどを利用することが可能となり、集中治療室の床面板の暖房を安価に実現できる。
【００２１】
請求項４に記載の発明によれば、空気調和ユニットを載置用フレームに対して積層するように配置できるので、複数の空気調和ユニットを水平面状に配列する場合よりも動物用集中治療装置の設置に必要な面積を低減することができる。
【００２２】
請求項５に記載の発明によれば、空気調和ユニットに筐体を設け、この筐体を集中治療室側の送気ダクトの開口部と吸気ダクトの開口部とに対して筐体の送気口と吸気口とが対面するようにしたことによって集中治療室内に所定温度の空気を送り込み、さらに送り込んだ空気を循環させることできるので、ダクトと筐体をねじで接続する必要がない。
【００２３】
請求項６に記載の発明によれば、空気調和ユニットに設けた筐体に設けた筒状部材と集中治療室側のダクトとによって集中治療室内に所定温度の空気を送り込み、さらに送り込んだ空気を循環させることできるので、ダクトと筐体をねじで接続する必要がなく、さらに空気調和ユニットと集中治療室との間の距離が比較的大きい場合でも、筐体と集中治療室空気との間に空気の流路を確保することができる。
【００２４】
請求項７に記載の発明によれば、空気調和ユニットに設けた筐体と集中治療室とを直接に当接させることによって集中治療室内に所定温度の空気を送り込み、さらに送り込んだ空気を循環させることできるので、ダクトを設けるスペースの分だけ集中治療室の容積を大きくすることができ、収容する動物に対してより広く快適な空間を提供することができる。
【００２５】
請求項８に記載の発明によれば、空気調和ユニットを酸素供給回路の一部として利用するので、酸素の送出量を調整する弁が故障したときに交換することが容易にできる。
【００２６】
請求項９に記載の発明によれば、集中治療室の周囲に酸素供給用のダクトを設ける必要がない。ひいては、ダクトを設けるスペースの分だけ集中治療室の容積を大きくすることができ、収容する動物に対してより広く快適な空間を提供することができる。
【００２７】
請求項１０に記載の発明によれば、開閉扉を分解して清掃及び消毒することが可能であり、さらに開閉扉の枠の一部または全部を交換することが容易になる。ひいては、集中治療室のメンテナンス負担を軽減することができる。
【図面の簡単な説明】
【００２８】
【図１】第１の実施の形態に係る動物用集中治療装置を示す斜視図である。
【図２】第１の実施の形態に係る動物用集中治療装置を示す正面図である。
【図３】第１の実施の形態に係る動物用集中治療装置を示す平面図である。
【図４】第１の実施の形態に係る動物用集中治療装置を示す右側面図である。
【図５】第１の実施の形態に係る動物用集中治療装置を示す平面図である。
【図６】第１の実施の形態に係る動物用集中治療装置を示すＡ−Ａ線断面図である。
【図７】Ｂ集中治療室の拡大断面図である。
【図８】３つの空調ユニットをフレームに装着した状態を示す斜視図である。
【図９】Ａ空調ユニットの斜視図である。
【図１０】空調ユニットを抜き出している状態を示す斜視図である。
【図１１】空気調和関連部品のブロック図である。
【図１２】床面暖房用ヒータを挿入している状態を示すＢ集中治療室の拡大断面図である。
【図１３】開閉扉の分解斜視図である。
【図１４】第２の実施の形態に係る動物用集中治療装置のＢ集中治療室の拡大断面図である。
【図１５】第３の実施の形態に係る動物用集中治療装置のＡ空調ユニットの斜視図である。
【図１６】従来技術に係る動物用集中治療装置の一例を示す斜視図である。
【発明を実施するための形態】
【００２９】
図１は、第１の実施の形態に係る動物用集中治療装置を示す斜視図である。図１において、１０は動物用集中治療装置、１１は外部筐体、１７ａ、１７ｂ、１７ｃ及び１７ｄはキャスタ、２０はＡ集中治療室、２１は開閉扉、２７は小扉、４０はＢ集中治療室、４１は開閉扉、４７は小扉、６０はＣ集中治療室、６１は開閉扉、６７は小扉、８０は空調機器収納ボックス、８２は操作パネル、８３は酸素濃度管理パネル、８５は吸気用開口部、８６は排気ファン、８７は天井板である。また、図２は、第１の実施の形態に係る動物用集中治療装置を示す正面図である。図２において、１２は間仕切り支柱、１３はロック部、２２は把手、２３はラッチ受け部材、２４ａ及び２４ｂは蝶番、２５は通気口、２５ａは通気口つまみ、２６は連絡孔、２８は把手、２９ａ及び２９ｂは蝶番、４２は把手、４３はラッチ受け部材、４４ａ及び４４ｂは蝶番、４５は通気口、４５ａは通気口つまみ、４６は連絡孔、４８は把手、４９ａ及び４９ｂは蝶番、６２は把手、６３はラッチ受け部材、６４ａ及び６４ｂは蝶番、６５は通気口、６５ａは通気口つまみ、６６は  連絡孔、６８は把手、６９ａ及び６９ｂは蝶番、８１は前面板、８２ａはメインスイッチであり、その他の符号は図１と同じものを示す。
【００３０】
まず、本発明の第１の実施の形態に係る動物用集中治療装置の全体構成について説明する。この実施の形態に係る動物用集中治療装置１０は、図１に示すように、外部筐体１１の上段左側にＡ集中治療室２０、下段左側にＢ集中治療室４０、下段右側にＣ集中治療室６０を設けている。Ａ集中治療室２０は、Ｂ集中治療室４０及びＣ集中治療室６０よりも高さが低く、ネコや小型犬など比較的小さい患者動物を収容するのに適している。外部筐体１１は、これら３つの集中治療室を一体化する役割を持つ。また、外部筐体１１は、Ａ集中治療室２０の上面板、背面板及び左側面板、Ｂ集中治療室４０の背面板、左側面板、及び床面板の一部、Ｃ集中治療室６０の背面板、右側面板、及び床面板の一部を覆って保護すると共に、外観を向上する役割も持っている。さらに、Ａ集中治療室２０、Ｂ集中治療室４０とＣ集中治療室６０とは、前面全体が開口部となっており、この開口部に開閉扉２１、開閉扉４１と開閉扉６１とが設けられており、動物の入退室などの際はこれらの扉を開閉させる。また、上段右側には空調機器収納ボックス８０が配置されているが、外部筐体１１は後述する理由により、空調機器収納ボックス８０の背面板等を覆っていない。なお、空調機器収納ボックス８０は、Ａ集中治療室２０及びＣ集中治療室６０と一体的に設けられている。また、空調機器収納ボックス８０の前面側には、各集中治療室の冷暖房に関する設定などを行う操作パネル８２と、各集中治療室の酸素濃度の設定などを行う酸素濃度管理パネル８３が設けられている。
【００３１】
Ａ集中治療室２０、Ｂ集中治療室４０、Ｃ集中治療室６０は、衛生管理が容易なステンレス鋼で形成されており、それぞれ背面板、天井板、床面板、右側面板及び左側面板がプレス加工によって一体的に形成されている。外部筐体１１もまた、ステンレス鋼で形成されているが、背面板、天井板、右側面板、左側面板及び底面板は、それぞれ個別に形成され、さらに背面板は３つに分割されている。くわえて、外部筐体１１の底面板には、手前側にキャスタ１７ａ及びキャスタ１７ｂ、背面側にキャスタ１７ｃ及びキャスタ１７ｄを設けて、動物用集中治療装置１０の移動を容易にしている。なお、動物用集中治療装置１０は、イヌ又はネコに対して好適な集中治療室であるが、勿論、フェレット、サルなど他の動物に対しても適しており、収容される動物は特に限定されない。また、通常の獣医科用ケージの代用品として使用することも可能である。また、キャスタ１７ａ、キャスタ１７ｂ、キャスタ１７ｃ及びキャスタ１７ｄは、省略してもよい。
【００３２】
続けて、Ａ集中治療室２０、Ｂ集中治療室４０及びＣ集中治療室６０の構成について説明する。図２に示すように、Ａ集中治療室２０の前面側には、開閉扉２１が設けられている。開閉扉２１は、前面側を覆っており、Ａ集中治療室２０の左側面板の端部に取り付けられた蝶番２４ａ及び２４ｂによって回転可能に支持されている。したがって、開閉扉２１を開いたときには、開口部が完全に開放されるので、Ａ集中治療室２０の内部の消毒作業などが容易に行えるという利点がある。また、開閉扉２１は、把手２２を把持して開閉し、ラッチ受け部材２３に把手のラッチ部を係止させることによって閉止状態を保持することができる。さらに、開閉扉２１には、小扉２７が設けられている。小扉２７は、開閉扉２１の左下側にやや偏った状態で設けられており、開閉扉２１に取り付けられた蝶番２９ａ及び蝶番２９ｂによって回転可能に支持されている。くわえて、小扉２７は、把手２８を把持して開閉する。患者動物への給餌のときなどには、開閉扉２１ではなく小扉２７を開閉することによって、Ａ集中治療室２０の温度又は酸素濃度の変動を低減することができる。さらに、連絡孔２６は、ねじ込み式の蓋を設けた小開口部であり、例えば点滴チューブなどを通すことができる。
【００３３】
また、開閉扉２１及び小扉２７は、Ａ集中治療室２０内を所定温度又は所定酸素濃度に保持できるように、気密性を確保できるように設けられている。さらに、開閉扉２１及び小扉２７は、Ａ集中治療室２０内の患者度物を観察できるように透明性の高いポリカーボネートで形成されている。また、開閉扉２１の上部には、通気口２５が設けられている。通気口２５は、矩形の開口部を横方向に多数配列したものである。開閉扉２１の内側には、同型状の開口部を横方向に多数配列した帯状の板を設けており、通気口つまみ２５ａを回転させることによって帯状の板を横方向に摺動させることができる。この帯状の板を摺動させて、この板の開口部と開閉扉２１の開口部とが重なり合った状態にすると、通気口２５を介してＡ集中治療室２０と外部との通気を確保することができる。したがって、患者動物を特定の室温及び酸素濃度に保持しておく必要がない場合には、例えば通気口２５を開放してＡ集中治療室２０の換気を行うことも可能である。
【００３４】
Ｂ集中治療室４０もＡ集中治療室２０と同様に、Ｂ集中治療室４０の前面側を覆う開閉扉４１を設けている。開閉扉４１は、Ｂ集中治療室４０の左側面板の端部に取り付けられた蝶番４４ａ及び蝶番４４ｂによって回転可能に支持されている。また、開閉扉４１は、把手４２を把持して開閉し、ラッチ受け部材４３に把手のラッチ部を係止させることによって閉止できる。さらに、開閉扉４１にも小扉４７が左下側にやや偏った状態で設けられている。小扉４７は、開閉扉４１に取り付けられた蝶番４９ａ及び蝶番４９ｂによって回転可能に支持され、把手４８を把持して開閉する。さらに、連絡孔４６は、ねじ込み式の蓋を設けた小開口部であり、例えば点滴チューブなどを通すことができる。また、開閉扉４１及び小扉４７も、気密性を確保できるように設けられ、さらにＢ集中治療室４０内の患者度物を観察できるように透明性の高いポリカーボネートで形成されている。また、開閉扉４１の上部には、矩形の開口部を横方向に多数配列した通気口４５が設けられている。開閉扉４１の内側には、同型状の開口部を横方向に多数配列した帯状の板を設けており、通気口つまみ２５ａを回転させることによって帯状の板を横方向に摺動させることができる。帯状の板を摺動させて、この板の開口部と開閉扉４１の開口部とが重なり合った状態にすると、通気口４５を介してＢ集中治療室４０と外部との通気を確保することができる。
【００３５】
Ｃ集中治療室６０も、Ｃ集中治療室６０の前面側を覆う開閉扉６１を設けている。開閉扉６１は、Ｃ集中治療室６０の右側面板の端部に取り付けられた蝶番６４ａ及び蝶番６４ｂによって回転可能に支持されている。また、開閉扉６１は、把手６２を把持して開閉し、ラッチ受け部材６３に把手のラッチ部を係止させることによって閉止できる。さらに、開閉扉６１にも小扉６７が左下側にやや偏った状態で設けられている。小扉６７は、開閉扉６１に取り付けられた蝶番６９ａ及び蝶番６９ｂによって回転可能に支持され、把手６８を把持して開閉する。さらに、連絡孔６６は、ねじ込み式の蓋を設けた小開口部であり、例えば点滴チューブなどを通すことができる。また、開閉扉６１及び小扉６７も、気密性を確保できるように設けられ、さらにＢ集中治療室６０内の患者度物を観察できるように透明性の高いポリカーボネートで形成されている。また、開閉扉６１の上部には、矩形の開口部を横方向に多数配列した通気口６５が設けられている。開閉扉６１の内側には、同型状の開口部を横方向に多数配列した帯状の板を設けており、通気口つまみ６５ａを回転させることによって帯状の板を横方向に摺動させることができる。帯状の板を摺動させて、この板の開口部と開閉扉６１の開口部とが重なり合った状態にすると、通気口６５を介してＣ集中治療室６０と外部との通気を確保することができる。
【００３６】
次に開閉扉４１の細部の構成について説明する。図１３は、開閉扉の分解斜視図である。図１３において、４１ａは扉本体部、４１ｂ、４１ｃ、４１ｄ及び４１ｅは型材、４１ｆ、４１ｇ、４１ｈ及び４１ｉはエンドキャップは緩衝材であり、その他の符号は図２と同じものを示す。
【００３７】
図１３に示すように、開閉扉４１は、ポリカーボネート製の扉本体部４１ａに他の部品を取り付けたものであるが、接着剤を使用せずに取り付けできる構成にしている。すなわち、扉本体部４１ａの表裏側の周縁部、つまり扉本体部４１ａの４辺の表裏両面に貼り付けた図に現れていない緩衝材を型材４１ｂ、型材４１ｃ、型材４１ｄ及び型材４１ｅの長手方向に設けた溝で軽く挟持することによって、扉本体部４１ａに対して型材４１ｂ、型材４１ｃ、型材４１ｄ及び型材４１ｅを保持させている。さらに、型材４１ｂと型材４１ｄとの両端部にエンドキャップ４１ｆ、エンドキャップ４１ｇ、エンドキャップ４１ｈ及びエンドキャップ４１ｉをそれぞれ挿入している。さらに、エンドキャップ４１ｆ、エンドキャップ４１ｇ、エンドキャップ４１ｈ及びエンドキャップ４１ｉの中央に設けたねじ穴をねじ込んで締め付けることによって、型材４１ｂ、型材４１ｃ、型材４１ｄ及び型材４１ｅは扉本体部４１ａに強固に一体化している。把手２２、蝶番２４ａ、蝶番２４ｂ及び通気口２５もねじによって扉本体部４１ａに固定する。なお、開閉扉２１及び開閉扉６１も同様に構成されている。以上の構成によれば、ねじ止めだけで各部品を扉本体部４１ａに固定しているので、動物用集中治療装置１０の設置場所において、問題がある部品を速やかに交換できる。特に、集中治療室の開閉扉は、気密性が要求されるものであり、メンテナンス作業の発生回数が相対的に多いが、部品単位で交換できることは作業負担を大幅に軽減するものと言える。
【００３８】
続けて、Ａ集中治療室２０、Ｂ集中治療室４０及びＣ集中治療室６０の背面側の構成及び内部の構成について説明する。図３は、第１の実施の形態に係る動物用集中治療装置を示す平面図である。図３において、３０はＡ床面暖房用ヒータ、３１は外部筐体背面板、３２はヒータ用扉、３３ａ及び３３ｂは蝶番、３４は指掛け穴、５０はＢ床面暖房用ヒータ、５２はヒータ用扉、５３ａ及び５３ｂは蝶番、５４は指掛け穴、７０はＣ床面暖房用ヒータ、７１は外部筐体背面板、７２はヒータ用扉、７３ａ及び７３ｂは蝶番、７４は指掛け穴であり、その他の符号は図２と同じものを示す。また、図６は、第１の実施の形態に係る動物用集中治療装置を示すＡ−Ａ線断面図である。図６において、１４は間仕切り板、１５は間仕切り支持部材、１６は間仕切り案内部材、３５ａは送気ダクト、３５ｂは吸気ダクト、３６は通風口、３７は集中治療室背面板、３９は集中治療室床面板、５５はダクト、５６は送風口、５７は集中治療室背面板、５８は梁部材、５９は集中治療室床面板であり、その他の符号は図２と同じものを示す。さらに、図７は、Ｂ集中治療室の拡大断面図である。図７において用いた符号は、図６と同じものを示す。
【００３９】
図３に示すように、Ａ集中治療室２０、Ｂ集中治療室４０及びＣ集中治療室６０の背面側は、外部筐体１１によって覆われている。また、Ａ集中治療室２０、Ｂ集中治療室４０及びＣ集中治療室６０の背面側には、Ａ床面暖房用ヒータ３０、Ｂ床面暖房用ヒータ５０及びＣ床面暖房用ヒータ７０がそれぞれ設けられている。図６に示すように、Ａ床面暖房用ヒータ３０とＢ床面暖房用ヒータ５０とは、平板なパネルヒータであり、Ａ集中治療室２０の集中治療室背面板３７とＢ集中治療室４０の集中治療室背面板５７とに接するように配置されている。すなわち、暖房対象は、集中治療室床面板３９及び集中治療室床面板５９であるが、Ａ床面暖房用ヒータ３０とＢ床面暖房用ヒータ５０とは、これらの床面板に対して直接的に接していない。これは、Ａ床面暖房用ヒータ３０とＢ床面暖房用ヒータ５０とを集中治療室床面板３９と集中治療室床面板５９とに対して直接的に接するように、例えば集中治療室床面板３９と集中治療室床面板５９との下面に貼り付けると、集中治療室床面板３９と集中治療室床面板５９との温度が過剰に上がって、患者動物のこれらの床面板に接している腹部の皮膚や四肢の皮膚に低温やけどを負う可能性があることによる。Ｂ床面暖房用ヒータ５０とＣ床面暖房用ヒータ７０によって、集中治療室背面板３７と集中治療室背面板５７とを加熱すると、集中治療室床面板３９と集中治療室床面板５９とにもそれぞれ熱が伝わるが、これらの床面板の温度上昇は床面板を直接的に加熱するよりもかなり抑えられるので、患者動物が低温やけどを負うことを防止できる。
【００４０】
なお、図６に現れていないＣ床面暖房用ヒータ７０も同様に配置されている。また、Ａ床面暖房用ヒータ３０、Ｂ床面暖房用ヒータ５０及びＣ床面暖房用ヒータ７０の発熱温度が相対的に高い場合には、これらのヒータと３つの集中治療室の背面板との間にスペーサを設けて、これらのヒータが背面板と接しないようにしてもよい。また、図７に示すように、Ｂ床面暖房用ヒータ５０は、外部筐体１１の構造材である梁部材５８の上に載っている。図７に現れていないＡ床面暖房用ヒータ３０及びＣ床面暖房用ヒータ７０も同様に、それぞれ外部筐体１１の構造材である別の梁部材の上に載っている。このように、動物用集中治療装置１０は、Ａ床面暖房用ヒータ３０、Ｂ床面暖房用ヒータ５０及びＣ床面暖房用ヒータ７０は、外部筐体１１の構造材を利用することによって、Ａ集中治療室２０、Ｂ集中治療室４０、Ｃ集中治療室６０の背面板の外側面に接するように配置している。
【００４１】
また、図３に示すように、外部筐体１１のＡ床面暖房用ヒータ３０、Ｂ床面暖房用ヒータ５０及びＣ床面暖房用ヒータ７０の上側の部分に対応する位置には、ヒータ用扉３２、ヒータ用扉５２及びヒータ用扉７２が設けられている。すなわち、外部筐体１１の一部である外部筐体背面板３１のＡ床面暖房用ヒータ３０の上側の部分に対応する部位には、ヒータ用扉３２とほぼ同形状の開口部が形成されており、蝶番３３ａ及び蝶番３３ｂはこの開口部の下側の周縁部に取り付けられている。ヒータ用扉３２は、外部筐体１１に対して蝶番３３ａ及び蝶番３３ｂによって回転可能な状態で支持されている。また、ヒータ用扉３２の上側の外縁部の中央には、開閉を容易にするための凹部が形成されており、ヒータ用扉３２によって外部筐体１１のＡ床面暖房用ヒータ３０の上側の部分に対応する開口部を閉止したときに、この開口部の周縁部とヒータ用扉３２の外縁部の凹部とが指掛け穴３４を構成するようになされている。指掛け穴３４は、ヒータ用扉３２を容易に開けるようにするためのものである。ヒータ用扉５２とヒータ用扉７２とも同様に、Ｂ集中治療室４０とＣ集中治療室６０の背面側に設けられている共通の外部筐体背面板７１に設けられた２つの開口部を閉止するようにそれぞれ設けられており、蝶番５３ａ及び蝶番５３ｂと、蝶番７３ａ及び蝶番７３ｂとによって回転可能にそれぞれ支持されている。これらの開口部の周縁部と、ヒータ用扉５２及びヒータ用扉７２との外縁部の凹部とが指掛け穴５４と指掛け穴７４とを構成するようになされている。
【００４２】
ところで、図６に示すように、Ｂ集中治療室４０とＣ集中治療室６０との境界には、着脱可能な間仕切り板１４が設けられている。間仕切り板１４は、Ｂ集中治療室４０の左側面板であり、かつ、Ｃ集中治療室６０の右側面板でもあるが、これを取り外すことによって、Ｂ集中治療室４０とＣ集中治療室６０とを一体の集中治療室として使用できる。すなわち、図２に示すように、動物用集中治療装置１０の前面側には、間仕切り支柱１２が配置されている。間仕切り支柱１２は、Ｂ集中治療室４０及びＣ集中治療室６０の天井板の境界となる部位にラッチで固定されており、ロック部１３のハンドルを引くことによってラッチを解除でき、Ｂ集中治療室４０及びＣ集中治療室６０から外部へ取り外すことができる。間仕切り支持部材１５は、図６に示すように、Ｂ集中治療室４０及びＣ集中治療室６０の背面板の境界となる部位に固定されており、間仕切り板１４の背面側の端部及びその近傍を左右から挟持することによって支持している。さらに、間仕切り案内部材１６は、Ｂ集中治療室４０及びＣ集中治療室６０の天井板の境界となる部位に固定されており、間仕切り板１４をＢ集中治療室４０及びＣ集中治療室６０の開口部から挿入するときに、間仕切り板１４の上端部を左右から軽く挟持することによって間仕切り板１４の摺動を案内する。くわえて、間仕切り板１４を完全に挿入すると、間仕切り板１４の上端部を左右から軽く挟持することによって間仕切り板１４を支持する。以上のように、動物用集中治療装置１０は、間仕切り板１４を取り外すことによってＢ集中治療室４０とＣ集中治療室６０とを１つの集中治療室として使用することができ、大型犬などの比較的大きな患者動物を収容することが可能である。
【００４３】
続けて、空調機器収納ボックス８０の構成について説明する。さらに、図４は、第１の実施の形態に係る動物用集中治療装置を示す右側面図である。図４において、７８は外部筐体側面板、８４は側面板であり、その他の符号は図１と同じものを示す。さらに、図５は、第１の実施の形態に係る動物用集中治療装置を示す平面図である。図５において用いた符号は、すべて図１及び図２と同じものを示す。
【００４４】
空調機器収納ボックス８０は、図１に示すように、前面側から見て右上となる位置に配置されている。また、図２に示すように、前面板８１に操作パネル８２、メインスイッチ８２ａ及び酸素濃度管理パネル８３を設けている。操作パネル８２は、Ａ集中治療室２０、Ｂ集中治療室４０及びＣ集中治療室６０の室内温度の設定や、Ａ床面暖房用ヒータ３０、Ｂ床面暖房用ヒータ５０及びＣ床面暖房用ヒータ７０の加熱温度の設定ができ、さらに各集中治療室の現在の室内温度などの情報を表示するものであり、タッチパネル（タッチスクリーン）で構成されている。メインスイッチ８２ａは、動物用集中治療装置１０の電気回路の電源スイッチである。酸素濃度管理パネル８３は、Ａ集中治療室２０、Ｂ集中治療室４０及びＣ集中治療室６０の酸素濃度の設定や、酸素ボンベの酸素ガスがなくなったことなどを通知するものである。また、前面板８１は、開閉扉として構成されており、空調機器収納ボックス８０内の機器のメンテナンスの際に空調機器収納ボックス８０を開放できるようにしている。また、図３に示すように、空調機器収納ボックス８０の背面側は、背面板がねじ止めされているだけであり、機能的なものは何もない。なお、背面板は、空調機器収納ボックス８０内の機器のメンテナンスの際に取り外し可能である。
【００４５】
図４に示すように、空調機器収納ボックス８０の側面板８４には、吸気用開口部８５を設けている。吸気用開口部８５は、後述するように、空調機器収納ボックス８０内において熱交換を円滑に行うためのものである。なお、側面板８４は、Ｃ集中治療室６０の外部筐体側面板７８とは分離している。また、図５に示すように、空調機器収納ボックス８０の天井板８７には、排気ファン８６を設けている。排気ファン８６は、空調機器収納ボックス８０内において熱交換によって発生した熱い空気を排出するものである。排気ファン８６を天井板８７に設けることによって、空調機器収納ボックス８０の周囲にある動物用ケージに熱い空気が当たって、そのケージに収容している患者動物の体調に悪影響を与えないようにしている。なお、排気ファン８６によって動物用集中治療装置１０を設置している室内に排気する構成に替えて、天井板８７から動物用集中治療装置１０を設置している動物病院内の空気調和設備の排気用ダクトに接続するための接続ダクトを設け、熱い空気を排気用ダクトに接続ダクトを介して排出してもよい。
【００４６】
さらに、空調機器収納ボックス８０内の空気調和機器について説明する。図８は、３つの空調ユニットをフレームに装着した状態を示す斜視図である。図８において、１８は載置用フレーム、１８ａは下枠材、１８ｂは上枠材、１９ａ、１９ｂ及び１９ｃは支柱材、８８はＡ空調ユニット、８９は放熱ブロック、９０はコンプレッサ、９１は本体ブロック、９１ａはコイルヒータ、９１ｂは空気循環用ファン、９１ｃは流量制御弁、９２は筐体、９３はＢ空調ユニット、９４は放熱ブロック、９５はコンプレッサ、９６は本体ブロック、９７はＣ空調ユニット、９８は放熱ブロック、９９はコンプレッサである。また、図９は、Ａ空調ユニットの斜視図である。図９において、８８ａ及び８８ｂは摺動レール、８９ａは室外熱交換器、８９ｂは室外熱交換器用ファン、９２ａは当接板、９２ｂは送気口、９２ｃは吸気口であり、その他の符号は図８と同じものを示す。さらに、図１０は、空調ユニットの抜き出している状態を示す斜視図である。図１０において用いた符号は、すべて図８と同じものを示す。
【００４７】
図８に示すように、空調機器収納ボックス８０の内部には、載置用フレーム１８が固定されている。また、載置用フレーム１８は、下枠材１８ａの上方に上枠材１８ｂを配置している。上枠材１８ｂは、支柱材１９ａ、支柱材１９ｂ及び支柱材１９ｃと図８に現れない１本の支柱との計４本の支柱によって支持され、かつ、下枠材１８ａと一体になっている。くわえて、下枠材１８ａに対しては、Ｂ集中治療室４０の空気調和を行うＢ空調ユニット９３と、Ｃ集中治療室６０の空気調和を行うＣ空調ユニット９７とが挿抜可能な状態で収納されている。また、上枠材１８ｂに対しては、Ａ集中治療室２０の空気調和を行うＡ空調ユニット８８が挿抜可能な状態で収納されている。また、載置用フレーム１８は、放熱ブロック８９、放熱ブロック９４及び放熱ブロック９８が位置する側が空調機器収納ボックス８０の側面板８４の近くとなり、本体ブロック９１及び本体ブロック９６が位置する側がＡ集中治療室２０の近くとなる方向に配置されている。
【００４８】
Ａ空調ユニット８８、Ｂ空調ユニット９３及びＣ空調ユニット９７とは、それぞれ独立した空気調和機器であるが、共通する操作パネル８２及び酸素濃度管理パネル８３から操作することが可能である。図９に示すように、Ａ空調ユニット８８は、上枠材１８ｂ上を摺動する摺動レール８８ａ及び摺動レール８８ｂに対して、放熱ブロック８９、コンプレッサ９０及び本体ブロック９１を固定している。放熱ブロック８９は、室外熱交換器８９ａと室外熱交換器用ファン８９ｂを備えており、室外熱交換器８９ａ内を流れる冷媒と動物病院内の空気との熱交換を行うものである。なお、室外熱交換器用ファン８９ｂは、室外熱交換器８９ａ側からコンプレッサ９０に向って流れる空気流を生成する。本体ブロック９１の筐体９２の内部には、図９に現れていないが、室内熱交換器、暖房用のコイルヒータ、Ａ集中治療室２０へ送気する空気循環用ファン、Ａ集中治療室２０への単位時間当たりの酸素送出量を調整する流量調整弁などが収納されている。流量調整弁は、短時間のうちに開閉を繰り返し、所定単位時間と、この単位時間内に開放されている時間との比によって単位時間当たりの酸素送出量を調整する電磁弁である。また、流量調整弁で流量を調整した酸素は筐体９２の内部に放出される。なお、このような電磁弁に代えて、流量自体を連続的に調整できる比例制御弁を用いてもよい。
【００４９】
さらに、筐体９２には、右側面板に当接する当接板９２ａが設けられている。当接板９２ａには、送気口９２ｂと吸気口９２ｃとが形成されている。送気口９２ｂと吸気口９２ｃとは、Ａ空調ユニット８８を上枠材１８ｂに装着したときに、図６に示したＡ集中治療室２０の送気ダクト３５ａの端部の開口部と吸気ダクト３５ｂの端部の開口部とにそれぞれ対面して、筐体９２とＡ集中治療室２０との間で送気と吸気との２つの空気流の流路となる。また、送気ダクト３５ａ及び吸気ダクト３５ｂのＡ集中治療室２０側の端部の開口部には、これらの開口部を覆う通風口３６を設けている。通風口３６は、Ａ空調ユニット８８から送り込まれた空気流が患者動物の体に直接吹き付けないようにするためのルーバと、Ａ集中治療室２０の空気中を舞っている患者動物の体毛を吸い込まないようにするフィルタとが設けられている。
【００５０】
Ｂ空調ユニット９３も、図８に示すように、放熱ブロック９４、コンプレッサ９５及び本体ブロック９６を備えており、本体ブロック９６の図８に現れていない当接板が図６に示したＢ集中治療室４０に接続されたダクト５５と図示していないもう１つのダクトの端部の開口部に接続されており、これらのダクトのＢ集中治療室４０側の端部の開口部には、これらの開口部を覆う通風口５６を設けている。Ｃ空調ユニット９７も、図８に示すように、放熱ブロック９８、コンプレッサ９９と、図に現れない本体ブロックを備えている。なお、Ｃ空調ユニット９７の本体ブロックの筐体は、当接板を底面に設けており、この当接板とＣ集中治療室６０の天井板とが直接当接するようになされている。Ｃ集中治療室６０の天井板には送気口と吸気口とが設けられており、この当接板の送気口と吸気口と対面している。このように、Ｃ空調ユニット９７とＣ集中治療室６０とは、ダクトを介さずに当接板と天井板との面同士を直接当接させることによって、Ｃ空調ユニット９７とＣ集中治療室６０との間に送気と吸気との２つの空気流の流路を設けている。したがって、ダクトを設けるスペースの分だけ集中治療室の容積を大きくすることができ、収容する患者動物に対してより広く快適な空間を提供できる。また、これらの空調ユニットを抜き出すときには、例えば図１０に示すように、Ｂ空調ユニット９３の前端部を持ち上げながら手前側に引いて、Ｂ空調ユニット９３の前端側を下枠材１８ａから抜き出し、そのまま手前に引き続けることによって簡単に抜き出すことができる。また、Ｂ空調ユニット９３を装着する場合には、Ｂ空調ユニット９３を押し込んで下枠材１８ａ上を摺動させて行く。そうすると、Ｂ空調ユニット９３の摺動レールが下枠材１８ａで囲われた空間内に落ち込み、Ｂ空調ユニット９３が下枠材１８ａの中にはまり込んだ状態となる。Ａ空調ユニット８８及びＣ空調ユニット９７も同様である。なお、Ａ空調ユニット８８、Ｂ空調ユニット９３及びＣ空調ユニット９７によって空気調和を行う際に発生するドレン水は、動物用集中治療装置１０の底面に設けた図示していないドレンパンに貯留する構成となっている。
【００５１】
ここで、動物用集中治療装置１０の電気電子的な主要構成について説明する。図１１は、空気調和関連部品のブロック図である。図１１において、２０ａはＡ計測ユニット、４０ａはＢ計測ユニット、６０ａはＣ計測ユニット、７６は制御部、７７は切替弁であり、その他の符号は図２及び図８と同じものを示す。
【００５２】
動物用集中治療装置１０は、操作パネル８２及び酸素濃度管理パネル８３が入力部と表示部を兼ねている。操作パネル８２又は酸素濃度管理パネル８３からの入力は、空調機器収納ボックス８０の内部に設けた制御部７６によってすべて処理され、その処理結果に応じて、Ａ空調ユニット８８の室外熱交換器用ファン８９ｂ、コンプレッサ９０、コイルヒータ９１ａ、空気循環用ファン９１ｂ又は流量制御弁９１ｃなどを個別に制御し、Ａ集中治療室２０内が所定温度範囲になるように空気調和を行う。くわえて、Ａ集中治療室２０内の室温を所定温度範囲に保ちつつ、除湿を行うように動作させることも可能である。さらに、Ｂ空調ユニット９３及びＣ空調ユニット９７についても、同様に制御する。切替弁７７は、図示していない酸素供給路に設けられており、酸素ボンベからの酸素供給と、酸素濃縮器からの酸素供給を必要となる酸素濃度に応じて切り替えるための三方弁で、制御部７６によって制御される。また、操作パネル８２からの操作に応じて、Ａ床面暖房用ヒータ３０、Ｂ床面暖房用ヒータ５０及びＣ床面暖房用ヒータ７０を動作させる。また、、Ａ集中治療室２０、Ｂ集中治療室４０及びＣ集中治療室６０内の温度、湿度及び酸素濃度をそれぞれ計測するＡ計測ユニット２０ａ、Ｂ計測ユニット４０ａ及びＣ計測ユニット６０ａを各集中治療室に設けており、それぞれの温度、湿度及び酸素濃度の計測結果は、制御部７６によって処理され、さらに操作パネル８２に随時表示される。なお、以上に加えて、各集中治療室に、集中治療室照明灯、集中治療室内の空気の殺菌を行う紫外線殺菌灯、ドアロック忘れを警告するドアロック解除センサ、集中治療室内にマイナスイオンを供給するマイナスイオン供給器などを備え、これらを制御部７６によって制御し、さらに操作パネル８２を介して動作設定を行え、また動作状態を表示できるようにすることが望ましい。
【００５３】
以上のように、本発明の第１の実施の形態に係る動物用集中治療装置１０は、Ａ集中治療室２０、Ｂ集中治療室４０及びＣ集中治療室６０に対して、Ａ空調ユニット８８、Ｂ空調ユニット９３及びＣ空調ユニット９７をそれぞれ設けているので、集中治療室毎に室温を設定することができ、収容している動物の種類や状態に応じて空気調和を行える。さらに、空調ユニット毎にメンテナンスを行うことができるので、その空調ユニットに対応する集中治療室以外の集中治療室を継続的に使用できる。したがって、動物の移動等などメンテナンスに伴う作業負担を軽減できる。また、Ａ集中治療室２０、Ｂ集中治療室４０及びＣ集中治療室６０の背面板の外側面にＡ床面暖房用ヒータ３０、Ｂ床面暖房用ヒータ５０及びＣ床面暖房用ヒータ７０を設けているので、ヒータからの熱が集中治療室の床面板に伝わり、動物の集中治療室に接している部位の体熱を適度に保つことが可能になる。さらに、背面板の外側面にヒータを設けていることによって、床面板が過剰に暖められて、動物が低温やけどを負うことを防止できる。また、外部筐体背面板７１に３つの開口部を設け、各開口部にヒータ用扉３２、ヒータ用扉５２及びヒータ用扉７２を設けて開閉できるようにしたので、これらの開口部からＡ床面暖房用ヒータ３０、Ｂ床面暖房用ヒータ５０及びＣ床面暖房用ヒータ７０を取り出すことができ、ヒータの故障時に簡単にヒータを交換することができる。くわえて、Ａ空調ユニット８８、Ｂ空調ユニット９３及びＣ空調ユニット９７を載置用フレーム１８に対して積層するように配置できるので、３つの空気調和ユニットを水平面状に配列する場合よりも動物用集中治療装置の設置に必要な面積を低減することができる。また、空調機器収納ボックス８０は、前面側、右側面側及び背面側の３方向を開放できるので、制御部７６や各種弁などのメンテナンスも容易にできる。
【００５４】
くわえて、Ａ空調ユニット８８、Ｂ空調ユニット９３及びＣ空調ユニット９７に筐体９２などの筐体をそれぞれ設け、この筐体を集中治療室側のダクト又は集中治療室自体に当接させることによって集中治療室内に所定温度の空気を送り込み、さらに送り込んだ空気を循環させることできるので、ダクト同士をねじで接続する必要がない。また、Ｃ空調ユニット９７の空気調和ユニットに設けた筐体とＣ集中治療室６０の天井板とを直接に当接させることによって集中治療室内に所定温度の空気を送り込み、さらに送り込んだ空気を循環させることできるので、ダクトを設けるスペースの分だけ集中治療室の容積を大きくすることができ、収容する動物に対してより広く快適な空間を提供することができる。Ａ空調ユニット８８、Ｂ空調ユニット９３及びＣ空調ユニット９７を酸素供給回路の一部として利用することができ、流量制御弁９１ｃなど酸素の送出量を調整する弁の交換が容易にできる。さらに、Ａ空調ユニット８８、Ｂ空調ユニット９３及びＣ空調ユニット９７に筐体を酸素供給に利用するので、Ａ集中治療室２０、Ｂ集中治療室４０及びＣ集中治療室６０の周囲に酸素供給用のダクトを設ける必要がない。ひいては、ダクトを設けるスペースの分だけ各集中治療室の容積を大きくすることができ、収容する患者動物に対してより広く快適な空間を提供することができる。開閉扉２１、開閉扉４１、開閉扉６１は接着剤を使わずに組み立てられるので、開閉扉２１、開閉扉４１、開閉扉６１を分解して清掃及び消毒することが可能であり、さらに各開閉扉の枠の一部または全部を交換することが容易になる。ひいては、各集中治療室のメンテナンス負担を軽減することができる。
【００５５】
続けて、本発明の第１の実施の形態に係る動物用集中治療装置の変形例について説明する。図１２は、床面暖房用ヒータを挿入している状態を示すＢ集中治療室の拡大断面図である。図１２において、３８はマットヒータである。
【００５６】
第１の実施の形態に係る動物用集中治療装置の変形例では、動物用集中治療装置を熱帯地域や亜熱帯地域など、暖房の必要性が低い地域で使用する場合に特に好適である。すなわち、先に説明した第１の実施の形態に係る動物用集中治療装置で設けていたＡ床面暖房用ヒータ３０、Ｂ床面暖房用ヒータ５０及びＣ床面暖房用ヒータ７０を設けないものとする。ただし、収容する患者動物の種類や状況によっては、床面の暖房が必要となる場合がある。そこで、図１２に示すように、Ａ集中治療室２０の背面側にヒータ用扉３２を設けておき、市販品のマット状のヒータであるマットヒータ３８などを挿入してヒータ用扉３２を閉じる。その際、配線用ケーブルは指掛け穴３４から引き出しておく。なお、図１２に図示していない部分の構成は、図２等に示した第１の実施の形態に係る動物用集中治療装置の構成と同じである。また、マットヒータ３８の温度調整は、空調機器収納ボックス８０内の制御部ではなく、このヒータに付属しているものを利用する。このようにすれば、床面暖房用ヒータを設けないこの変形例においても、床面暖房用ヒータをあらかじめ設けた動物用集中治療装置と同様に使用することができ、同時に床面暖房用ヒータをあらかじめ設けた動物用集中治療装置よりも安価に製造することができる。
【００５７】
さらに、本発明の第２の実施の形態に係る動物用集中治療装置について説明する。図１４は、第２の実施の形態に係る動物用集中治療装置のＢ集中治療室の拡大断面図である。図１４において、５１はフィルムヒータ、５１ａは背面貼付部、５１ｂは底面貼付部であり、その他の符号は図７と同じものを示す。
【００５８】
図１４に示すように、本発明の第２の実施の形態に係る動物用集中治療装置では、Ｂ床面暖房用ヒータ５０に代えて、フィルムヒータ５１を設けている。フィルムヒータ５１は、薄いシート状のヒータであり、背面貼付部５１ａと底面貼付部５１ｂとに示すように、集中治療室背面板５７から集中治療室床面板５９に跨がるように貼り付けてある。なお、フィルムヒータは、パネル状のヒータなどに比べて発熱量が小さいものが多いので、患者動物があまり触れることがない集中治療室床面板５９の端部近傍に底面貼付部５１ｂを設けることによって患者動物を十分に保温できるようにしている。また、特に図示しないが、Ａ床面暖房用ヒータ３０及びＣ床面暖房用ヒータ７０も同様に設けておらず、対応する部位にフィルムヒータを貼り付けてある。なお、その他の図１４に図示していない部分の構成は、図２等に示した第１の実施の形態に係る動物用集中治療装置の構成と同じである。この実施の形態に係る動物用集中治療装置は、構造上の理由から梁部材５８を設けないときや、集中治療室背面板５７と外部筐体背面板７１との間隙を十分に確保できない場合に有用な構成である。
【００５９】
くわえて、本発明の第３の実施の形態に係る動物用集中治療装置について説明する。図１５は、第３の実施の形態に係る動物用集中治療装置のＡ空調ユニットの斜視図である。図１５において９２ｄは対向板、９２ｅは送気ダクト、９２ｆは吸気ダクトであり、その他の符号は図９と同じものを示す。
【００６０】
図１５に示すように、本発明の第３の実施の形態に係る動物用集中治療装置では、筐体９２に、Ａ集中治療室２０の右側面板と間隙をおいて対向する対向板９２ｄが設けられている。対向板９２ｄからは、送気ダクト９２ｅと吸気ダクト９２ｆとが突出するように設けられている。さらに、送気ダクト９２ｅと吸気ダクト９２ｆとは、Ａ空調ユニット８８を上枠材１８ｂに装着したときに、これらの先端側の部分がＡ集中治療室２０の送気ダクト３５ａと吸気ダクト３５ｂとに挿入されるように設けられている。なお、図示していない部分の構成は、図９等に示した第１の実施の形態に係る動物用集中治療装置の構成と同じである。この実施の形態に係る動物用集中治療装置は、Ａ空調ユニット８８の筐体９２に設けた送気ダクト３５ａと吸気ダクト３５ｂと、Ａ集中治療室２０の送気ダクト３５ａと吸気ダクト３５ｂとによってＡ集中治療室２０内に所定温度の空気を送り込み、さらに送り込んだ空気を循環させることできるので、ダクトと筐体をねじで接続する必要がなく、さらにＡ空調ユニット８８とＡ集中治療室２０との間の距離が比較的大きい場合でも、筐体９２とＡ集中治療室２０との間に空気の流路を確保することができる。なお、送気ダクト３５ａと吸気ダクト３５ｂの先端側の部分が送気ダクト９２ｅと吸気ダクト９２ｆに送入されるようにしてもよい。
【００６１】
なお、本発明は、以上に説明した各実施の形態の説明内容に限定されるものではなく、例えば、集中治療室は室数を２室又は４室以上にすることが可能であり、集中治療室をステンレス鋼以外の金属で形成する、開閉扉の扉本体部をガラスなどポリカーボネート以外の透明性材料で形成するなどしてもよい。また、気密性を保てる限りにおいて開閉扉を折り戸などにすることも可能である。さらに、Ａ空調ユニット、Ｂ空調ユニット及びＣ空調ユニットを前面側に引き出すようにしてもよい。くわえて、２つの実施の形態の構成を組み合わせてもよい。このような事例のように、各請求項に記載した範囲を逸脱しない限りにおいて種々の変形を加えることが可能である。
【符号の説明】
【００６２】
１０    動物用集中治療装置
１１    外部筐体
１２    間仕切り支柱
１３    ロック部
１４    間仕切り板
１５    間仕切り支持部材
１６    間仕切り案内部材
１７ａ  キャスタ
１７ｂ  キャスタ
１７ｃ  キャスタ
１７ｄ  キャスタ
１８    載置用フレーム
１８ａ  下枠材
１８ｂ  上枠材
１９ａ  支柱材
１９ｂ  支柱材
１９ｃ  支柱材
２０    Ａ集中治療室
２０ａ  Ａ計測ユニット
２１    開閉扉
２２    把手
２３    ラッチ受け部材
２４ａ  蝶番
２４ｂ  蝶番
２５    通気口
２５ａ  通気口つまみ
２６    連絡孔
２７    小扉
２８    把手
２９ａ  蝶番
２９ｂ  蝶番
３０    Ａ床面暖房用ヒータ
３１    外部筐体背面板
３２    ヒータ用扉
３３ａ  蝶番
３３ｂ  蝶番
３４    指掛け穴
３５ａ  送気ダクト
３５ｂ  吸気ダクト
３６    通風口
３７    集中治療室背面板
３８    マットヒータ
３９    集中治療室床面板
４０    Ｂ集中治療室
４０ａ  Ｂ計測ユニット
４１    開閉扉
４１ａ  扉本体部
４１ｂ  型材
４１ｃ  型材
４１ｄ  型材
４１ｅ  型材
４１ｆ  エンドキャップ
４１ｇ  エンドキャップ
４１ｈ  エンドキャップ
４１ｉ  エンドキャップ
４２    把手
４３    ラッチ受け部材
４４ａ  蝶番
４４ｂ  蝶番
４５    通気口
４５ａ  通気口つまみ
４６    連絡孔
４７    小扉
４８    把手
４９ａ  蝶番
４９ｂ  蝶番
５０    Ｂ床面暖房用ヒータ
５１    フィルムヒータ
５１ａ  背面貼付部
５１ｂ  底面貼付部
５２    ヒータ用扉
５３ａ  蝶番
５３ｂ  蝶番
５４    指掛け穴
５５    ダクト
５６    通風口
５７    集中治療室背面板
５８    梁部材
５９    集中治療室床面板
６０    Ｃ集中治療室
６０ａ  Ｃ計測ユニット
６１    開閉扉
６２    把手
６３    ラッチ受け部材
６４ａ  蝶番
６４ｂ  蝶番
６５    通気口
６５ａ  通気口つまみ
６６    連絡孔
６７    小扉
６８    把手
６９ａ  蝶番
６９ｂ  蝶番
７０    Ｃ床面暖房用ヒータ
７１    外部筐体背面板
７２    ヒータ用扉
７３ａ  蝶番
７３ｂ  蝶番
７４    指掛け穴
７６    制御部
７７    切替弁
７８    外部筐体側面板
８０    空調機器収納ボックス
８１    前面板
８２    操作パネル
８２ａ  メインスイッチ
８３    酸素濃度管理パネル
８４    側面板
８５    吸気用開口部
８６    排気ファン
８７    天井板
８８    Ａ空調ユニット
８８ａ  摺動レール
８８ｂ  摺動レール
８９    放熱ブロック
８９ａ  室外熱交換器
８９ｂ  室外熱交換器用ファン
９０    コンプレッサ
９１    本体ブロック
９１ａ  コイルヒータ
９１ｂ  空気循環用ファン
９１ｃ  流量制御弁
９２    筐体
９２ａ  当接板
９２ｂ  送気口
９２ｃ  吸気口
９２ｄ  対向板
９２ｅ  送気ダクト
９２ｆ  吸気ダクト
９３    Ｂ空調ユニット
９４    放熱ブロック
９５    コンプレッサ
９６    本体ブロック
９７    Ｃ空調ユニット
９８    放熱ブロック
９９    コンプレッサ
１００  動物用集中治療装置
１０１  Ａ集中治療室
１０２  Ｂ集中治療室
１０３  Ｃ集中治療室
１０４  空調機器収納ボックス
１０５  開閉扉
１０６  開閉扉
１０７  開閉扉
【図１】
2014057774.tif 000003
【図２】
2014057774.tif 000004
【図３】
2014057774.tif 000005
【図４】
2014057774.tif 000006
【図５】
2014057774.tif 000007
【図６】
2014057774.tif 000008
【図７】
2014057774.tif 000009
【図８】
2014057774.tif 000010
【図９】
2014057774.tif 000011
【図１０】
2014057774.tif 000012
【図１１】
2014057774.tif 000013
【図１２】
2014057774.tif 000014
【図１３】
2014057774.tif 000015
【図１４】
2014057774.tif 000016
【図１５】
2014057774.tif 000017
【図１６】
2014057774.tif 000018